(57)【要約】【課題】各アウトレットにおける空気の流れの乱れを抑制することができる。【解決手段】エアクリーナ１０は、インレット２５を有する１つのケース２０と、内燃機関の一対の吸気通路にそれぞれ対応する第１のアウトレット３５ａ及び第２のアウトレット３５ｂを有する１つのキャップ３０と、ケース２０の開口２１とキャップ３０の開口３１との間に設けられるフィルタエレメント４０とを備える。キャップ３０には、その内部を、第１のアウトレット３５ａに連通する第１の空間３７ａと、第２のアウトレット３５ｂに連通する第２の空間３７ｂとに仕切る仕切壁３６が設けられている。【選択図】図３
2018071397.tif 000002
【特許請求の範囲】
【請求項１】
一対の吸気通路を備える内燃機関に適用されるエアクリーナであって、
インレットを有する１つのケースと、
前記一対の吸気通路にそれぞれ対応する第１のアウトレット及び第２のアウトレットを有する１つのキャップと、
前記ケースの開口と前記キャップの開口との間に設けられるフィルタエレメントと、を備え、
前記キャップには、その内部を、前記第１のアウトレットに連通する第１の空間と、前記第２のアウトレットに連通する第２の空間とに仕切る仕切壁が設けられている、
エアクリーナ。
【請求項２】
前記ケース及び前記キャップはそれぞれ１つの前記開口を有しており、
前記ケースの前記開口と前記キャップの前記開口との間には、１つの前記フィルタエレメントが設けられている、
請求項１に記載のエアクリーナ。
【請求項３】
前記フィルタエレメントは、濾過部と、前記濾過部の外周に設けられた環状のシール部とを有しており、
前記仕切壁における前記濾過部に対向する対向面と前記濾過部との間には、隙間が設けられている、
請求項２に記載のエアクリーナ。
【請求項４】
前記ケース及び前記キャップは、２つの前記開口をそれぞれ有しており、
前記フィルタエレメントは、濾過部と、前記濾過部の外周に設けられた環状のシール部とを有するとともに、前記ケースの２つの前記開口と前記キャップの２つの前記開口との間にそれぞれ設けられており、
前記仕切壁における前記フィルタエレメントに対向する対向面が、２つの前記フィルタエレメントの前記シール部にそれぞれ接するシール面を形成している、
請求項１に記載のエアクリーナ。
【請求項５】
前記ケースには、その内部を、前記第１の空間及び前記第２の空間にそれぞれ対応した第１の流路及び第２の流路に区画する区画壁が設けられている、
請求項１〜請求項４のいずれか一項に記載のエアクリーナ。
【請求項６】
前記インレットの内部には、前記区画壁の一部をなす区画部が設けられている、
請求項５に記載のエアクリーナ。
【請求項７】
前記ケースには、前記キャップの前記第１の空間及び前記第２の空間にそれぞれ対応して第１のインレット及び第２のインレットが設けられている、
請求項１〜請求項５のいずれか一項に記載のエアクリーナ。
【発明の詳細な説明】
【技術分野】
【０００１】
本発明は、Ｖ型エンジンなどの一対の吸気通路を備える内燃機関に適用されるエアクリーナに関する。
【背景技術】
【０００２】
Ｖ型エンジンにおいては、一対のシリンダ列（バンク）に対応して一対の吸気通路及び一対の排気通路がそれぞれ設けられている。また、Ｖ型エンジンでは、一対の吸気通路に対して共通のエアクリーナが設けられているものがある（例えば特許文献１参照）。特許文献１には、１つのインレットと、２つのアウトレットとを備えたエアクリーナが開示されており、２つのアウトレットには、一対の吸気通路を構成する吸気管がそれぞれ接続されている。
【０００３】
また一般に、エンジンにおいては、エアクリーナのアウトレットに取り付けられたエアフローメータや、アウトレットに接続された吸気管に取り付けられたエアフローメータによって吸入空気量が検出される。
【先行技術文献】
【特許文献】
【０００４】
【特許文献１】特開２００７−４０１３６号公報
【発明の概要】
【発明が解決しようとする課題】
【０００５】
ところで、一対の吸気通路に対して共通のエアクリーナを設ける場合には、以下の不都合が生じるおそれがある。すなわち、エアクリーナの内部において２つのアウトレットに向けて流れる空気同士が干渉するため、空気の流れが乱れやすくなる。その結果、各アウトレット及びそれらの下流側を流れる空気の流れが乱れることでエアフローメータにより検出される吸入空気量のばらつきが大きくなり、エンジンの空燃比制御の更なる緻密化を図る上での妨げとなる。
【０００６】
本発明の目的は、各アウトレットにおける空気の流れの乱れを抑制することのできるエアクリーナを提供することにある。
【課題を解決するための手段】
【０００７】
上記目的を達成するためのエアクリーナは、一対の吸気通路を備える内燃機関に適用されるものであり、インレットを有する１つのケースと、前記一対の吸気通路にそれぞれ対応する第１のアウトレット及び第２のアウトレットを有する１つのキャップと、前記ケースの開口と前記キャップの開口との間に設けられるフィルタエレメントと、を備え、前記キャップには、その内部を、前記第１のアウトレットに連通する第１の空間と、前記第２のアウトレットに連通する第２の空間とに仕切る仕切壁が設けられている。
【０００８】
同構成によれば、キャップの内部が仕切壁により第１の空間と第２の空間とに仕切られているため、エアクリーナの内部において２つのアウトレットに向けて流れる空気同士が干渉することを抑えることができる。
【発明の効果】
【０００９】
本発明によれば、各アウトレットにおける空気の流れの乱れを抑制することができる。
【図面の簡単な説明】
【００１０】
【図１】エアクリーナの第１実施形態について、エアクリーナが適用された内燃機関を示す概略図。
【図２】同実施形態におけるエアクリーナを示す斜視図。
【図３】図２の３−３線に沿った断面図。
【図４】同実施形態のキャップを開口側から示す斜視図。
【図５】第２実施形態におけるエアクリーナを示す斜視図。
【図６】同実施形態におけるエアクリーナをインレット側から示す側面図。
【図７】図５の７−７線に沿った断面図。
【図８】図１１の８−８線に沿ったエアクリーナを示す断面図。
【図９】同実施形態のケースを構成する第１分割体及び第２分割体を上下に離間して示す分解斜視図。
【図１０】同実施形態の第１分割体を示す斜視図。
【図１１】同実施形態のエアクリーナを示す平面図。
【図１２】第３実施形態におけるエアクリーナを示す斜視図。
【図１３】図１２の１３−１３線に沿った断面図。
【図１４】同実施形態のケースを開口側から示す斜視図。
【発明を実施するための形態】
【００１１】
＜第１実施形態＞
以下、図１〜図４を参照して、第１実施形態について説明する。
まず、図１を参照して、本実施形態のエアクリーナが適用される内燃機関８０の概略構成について説明する。
【００１２】
図１に示すように、本実施形態の内燃機関８０は、左右一対のシリンダ列（以下、バンク９０ａ，９０ｂ）を備えたＶ型エンジンである。
各バンク９０ａ，９０ｂには、一対の吸気通路８１ａ，８１ｂと、一対の排気通路９１ａ，９１ｂとが接続されている。
【００１３】
各吸気通路８１ａ，８１ｂには、上流側から順に、１つのインレット２５及び２つのアウトレット３５ａ，３５ｂを有するエアクリーナ１０、２つのアウトレット３５ａ，３５ｂにそれぞれ接続された一対の吸気管８２ａ，８２ｂが設けられている。各吸気管８２ａ，８２ｂの途中には、コンプレッサ８３ａ，８３ｂ、スロットルバルブ８４ａ，８４ｂ、及びインタークーラ８５ａ，８５ｂが設けられている。各吸気管８２ａ，８２ｂの下流側には、共通のサージタンク８６を介して、一対の吸気マニホールド８７ａ，８７ｂが接続されている。各吸気マニホールド８７ａ，８７ｂの各支管が、各バンク９０ａ，９０ｂの各吸気ポート（図示略）に接続されている。
【００１４】
各排気通路９１ａ，９１ｂには、上流側から順に、一対の排気マニホールド９２ａ，９２ｂ、タービン９３ａ，９３ｂ、及び排気管９４ａ，９４ｂが設けられている。各排気マニホールド９２ａ，９２ｂの各支管が、各バンク９０ａ，９０ｂの各排気ポート（図示略）に接続されている。
【００１５】
タービン９３ａ，９３ｂ及びコンプレッサ８３ａ，８３ｂによって排気駆動式の過給器が構成されている。
次に、図２〜図４を参照して、本実施形態におけるエアクリーナ１０の構成について説明する。
【００１６】
図２及び図３に示すように、エアクリーナ１０は、１つのケース２０と、１つのキャップ３０とを備えている。ケース２０は、１つの開口２１及び１つの筒状のインレット２５を有している。キャップ３０は、１つの開口３１及びいずれも筒状の第１のアウトレット３５ａ及び第２のアウトレット３５ｂを有している。ケース２０及びキャップ３０は共に硬質の樹脂材料により形成されている。
【００１７】
図３に示すように、ケース２０の開口２１とキャップ３０の開口３１との間には、フィルタエレメント４０が設けられている。フィルタエレメント４０は、不織布や濾紙などの濾材シートを襞折りすることにより形成された濾過部４１と、濾過部４１の外周に設けられた環状のシール部４２とを有している。シール部４２は、ポリウレタンなどの独立気泡の発泡成形体により形成されている。
【００１８】
ケース２０は、開口２１を取り囲む周壁２２及び底壁２３を有している。開口２１の周縁には、フランジ２４が全周にわたって形成されている。周壁２２には、インレット２５が外側に向けて突設されている。
【００１９】
図２〜図４に示すように、キャップ３０は、開口３１を取り囲む周壁３２及び頂壁３３を有している。開口３１の周縁には、フランジ３４が全周にわたって形成されている。周壁３２には、第１のアウトレット３５ａ及び第２のアウトレット３５ｂが外側に向けてフランジ３４の延在方向に並んで形成されている。本実施形態では、各アウトレット３５ａ，３５ｂがインレット２５とは反対方向に向けて突出している。
【００２０】
図３及び図４に示すように、キャップ３０には、その内部を、第１のアウトレット３５ａに連通する第１の空間３７ａと、第２のアウトレット３５ｂに連通する第２の空間３７ｂとに仕切る仕切壁３６が設けられている。
【００２１】
仕切壁３６は、キャップ３０の周壁３２にそれぞれ開口する第１のアウトレット３５ａ及び第２のアウトレット３５ｂの開口部３９ａ，３９ｂよりもフィルタエレメント４０の濾過部４１に近接した位置（図３における下側の位置）まで延在している。仕切壁３６における濾過部４１に対向する対向面３６ａと濾過部４１との間には、対向面３６ａと濾過部４１との接触を回避するための隙間Ｓ１が設けられている。
【００２２】
第１のアウトレット３５ａ及び第２のアウトレット３５ｂには、吸入空気量を検出するための第１のエアフローメータ３８ａ及び第２のエアフローメータ３８ｂがそれぞれ取り付けられている。各エアフローメータ３８ａ，３８ｂは、各アウトレット３５ａ，３５ｂに形成された取付孔（図示略）を通じて取り付けられている。
【００２３】
一方、ケース２０には、上記仕切壁３６に対応する仕切壁が設けられていない。
図３に示すように、ケース２０のフランジ２４とキャップ３０のフランジ３４とによってシール部４２が挟持されることにより、フランジ２４，３４とシール部４２との間がシールされている。なお、ケース２０とキャップ３０とは図示しないクランプにより締結されている。
【００２４】
以上説明した本実施形態に係るエアクリーナによれば、以下に示す作用効果が得られるようになる。
（１）キャップ３０には、その内部を、第１のアウトレット３５ａに連通する第１の空間３７ａと、第２のアウトレット３５ｂに連通する第２の空間３７ｂとに仕切る仕切壁３６が設けられている。
【００２５】
こうした構成によれば、キャップ３０の内部が仕切壁３６により第１の空間３７ａと第２の空間３７ｂとに仕切られているため、エアクリーナ１０の内部において２つのアウトレット３５ａ，３５ｂに向けて流れる空気同士が干渉することを抑えることができる。したがって、各アウトレット３５ａ，３５ｂにおける空気の流れの乱れを抑制することができる。よって、２つのアウトレット３５ａ，３５ｂに向けて流れる空気同士が干渉することに起因して各エアフローメータ３８ａ，３８ｂにより検出される吸入空気量が変動することを抑制できる。
【００２６】
（２）一対の吸気通路８１ａ，８１ｂを備える内燃機関８０に対して１つのエアクリーナ１０が設けられている。このため、一対の吸気通路８１ａ，８１ｂに対してエアクリーナ１０の共通化を図ることができ、内燃機関８０において必要となるエアクリーナ１０の部品点数の総数を削減することができる。また、エアクリーナ１０の搭載スペースを小さくすることができる。
【００２７】
（３）ケース２０及びキャップ３０はそれぞれ１つの開口２１，３１を有している。ケース２０の開口２１とキャップ３０の開口３１との間には、１つのフィルタエレメント４０が設けられている。
【００２８】
こうした構成によれば、２つのアウトレット３５ａ，３５ｂに対してフィルタエレメント４０の共通化を図ることができる。したがって、エアクリーナ１０の部品点数を抑えることができる。
【００２９】
（４）仕切壁３６におけるフィルタエレメント４０の濾過部４１に対向する対向面３６ａと濾過部４１との間には、隙間Ｓ１が設けられている。
振動などにより仕切壁３６の対向面３６ａとフィルタエレメント４０の濾過部４１とが接触及び離間を繰り返すことによって異音が発生するおそれがある。
【００３０】
この点、上記構成によれば、仕切壁３６の対向面３６ａと濾過部４１との間に上記隙間Ｓ１が設けられているため、同対向面３６ａと濾過部４１との接触を回避することができ、当該接触に起因した異音の発生を回避できる。
【００３１】
＜第２実施形態＞
以下、図５〜図１１を参照して、第２実施形態について説明する。
まず、本実施形態のエアクリーナ１１０を構成するケース１２０について説明する。
【００３２】
図５〜図１０に示すように、ケース１２０は、第１分割体１２１と、第１分割体１２１の下端に接合されてケース１２０の底部を形成する第２分割体１３３とを備えている。
＜第１分割体１２１＞
図７〜図１０に示すように、第１分割体１２１は、筒状のインレット１２９を有する周壁１２２と、底壁１２３とを備えている。周壁１２２の内部は、インレット１２９の突出方向に沿って延在する分割壁１２５によって２つの空間に区画されている。第１分割体１２１の上部には、上記２つの空間にそれぞれ連なる第１開口１２６及び第２開口１２７が形成されている。また、これらの開口１２６，１２７の周縁には、フランジ１２８が全周にわたって形成されている。
【００３３】
図８及び図９に示すように、インレット１２９は、周壁１２２のうち分割壁１２５よりも第１開口１２６側（同図の右側）の下端部に設けられている。インレット１２９の上側半分は周壁１２２に連結されるとともに、下側半分は周壁１２２よりも下方に突出している。インレット１２９には、その内部を上下に区画する区画部１３０が底壁１２３に連なって形成されている。
【００３４】
図１０に示すように、底壁１２３のうち上記第２開口１２７側の部分には、連通孔１２４が形成されている。連通孔１２４は、インレット１２９の突出方向においてインレット１２９とは反対側に位置している。
【００３５】
＜第２分割体１３３＞
図６〜図９に示すように、第２分割体１３３は、周壁１３４及び底壁１３５を有している。第２分割体１３３の開口１３６の周縁には、接合部１３７が形成されている。接合部１３７は、第１分割体１２１の下面の周縁に振動溶着により接合されている。
【００３６】
図９に示すように、周壁１３４及び接合部１３７におけるインレット１２９に対応する部分には、インレット１２９の下側半分を収容する切欠部１３８が形成されている。
インレット１２９の上側半分と周壁１２２の内部における第１開口１２６に連なる空間とによって第１の流路１３１が形成される。また、インレット１２９の下側半分と、第２分割体１３３の内部空間と、周壁１２２の内部における第２開口１２７に連なる空間とによって第２の流路１３２が形成されている。
【００３７】
すなわち、本実施形態では、インレット１２９の区画部１３０、第１分割体１２１の底壁１２３、及び分割壁１２５が、ケース１２０の内部を、後述するキャップ１４０における第１の空間１４６及び第２の空間１５６にそれぞれ対応した第１の流路１３１及び第２の流路１３２に区画する区画壁として機能する。
【００３８】
次に、本実施形態のキャップ１４０について説明する。
図５〜図７、及び図１１に示すように、キャップ１４０は、筒状の第１のアウトレット１４７を有する第１キャップ部１４１と、筒状の第２のアウトレット１５７を有する第２キャップ部１５１とを備えている。これらのキャップ部１４１，１５１は、同一の形状及び同一の大きさを有している。
【００３９】
キャップ部１４１，１５１は、開口１４４，１５４を取り囲む周壁１４２，１５２、及び頂壁１４３，１５３をそれぞれ有している。アウトレット１４７，１５７は、周壁１４２，１５２から同一方向に向けて突設されている。
【００４０】
開口１４４，１５４の周縁には、全周にわたってフランジ１４５，１５５が形成されている。フランジ１４５，１５５のうちの第１キャップ部１４１と第２キャップ部１５１との間に位置する部分は共通部分を形成している。
【００４１】
周壁１４２，１５２のうちの互いに対向する部分、及びフランジ１４５，１５５のうちの共通部分（以下、これらを仕切壁１７０）によって、キャップ１４０の内部が、第１のアウトレット１４７に連通する第１の空間１４６と、第２のアウトレット１５７に連通する第２の空間１５６とに仕切られている。
【００４２】
第１のアウトレット１４７及び第２のアウトレット１５７には、第１実施形態と同様にして、エアフローメータ１４８，１５８がそれぞれ取り付けられている。なお、図１１では、エアフローメータ１４８，１５８の図示が省略されている。
【００４３】
次に、本実施形態のフィルタエレメント１６０について説明する。
図７及び図８に示すように、フィルタエレメント１６０は、第１実施形態のフィルタエレメント４０と同一の構成を有しており、濾過部１６１と、濾過部１６１の外周に設けられた環状のシール部１６２とを有している。
【００４４】
図７に示すように、本実施形態では、ケース１２０の２つの開口１２６，１２７とキャップ１４０の２つの開口１４４，１５４との間に２つのフィルタエレメント１６０がそれぞれ設けられている。
【００４５】
このとき、ケース１２０のフランジ１２８とキャップ１４０のフランジ１４５，１５５とによって２つのフィルタエレメント１６０のシール部１６２が挟持されている。詳しくは、仕切壁１７０におけるフィルタエレメント１６０に対向する対向面１７１（フランジ１４５，１５５の共通部分の下面）が、２つのフィルタエレメント１６０のシール部１６２にそれぞれ接するシール面を形成している。また、分割壁１２５の上面（フランジ１２８の一部）が、２つのフィルタエレメント１６０のシール部１６２にそれぞれ接している。
【００４６】
以上説明した本実施形態に係るエアクリーナによれば、第１実施形態の効果（１）、（２）に加えて、新たに以下に示す作用効果が得られるようになる。
（５）エアクリーナ１１０のケース１２０及びキャップ１４０は、２つの開口１２６，１２７，１４４，１５４をそれぞれ有している。フィルタエレメント１６０は、濾過部１６１と、濾過部１６１の外周に設けられた環状のシール部１６２とを有するとともに、ケース１２０の２つの開口１２６，１２７とキャップ１４０の２つの開口１４４，１５４との間にそれぞれ設けられている。仕切壁１７０におけるフィルタエレメント１６０に対向する対向面１７１が、２つのフィルタエレメント１６０のシール部１６２にそれぞれ接するシール面を形成している。
【００４７】
こうした構成によれば、キャップ１４０の内部が仕切壁１７０により第１の空間１４６と第２の空間１５６とに完全に仕切られるため、各アウトレット１４７，１５７における空気の流れが乱れることを効果的に抑制することができる。
【００４８】
（６）ケース１２０には、その内部を、第１の空間１４６及び第２の空間１５６にそれぞれ対応した第１の流路１３１及び第２の流路１３２に区画する区画壁としての分割壁１２５が設けられている。
【００４９】
こうした構成によれば、ケース１２０の内部が分割壁１２５により、キャップ１４０の第１の空間１４６に対応した第１の流路１３１と、キャップ１４０の第２の空間１５６に対応した第２の流路１３２とに区画される。このため、エアクリーナ１１０の内部において２つのアウトレット１４７，１５７に向けて流れる空気同士が干渉することを一層抑制できる。
【００５０】
（７）インレット１２９の内部には、区画壁の一部をなす区画部１３０が設けられている。この場合、ケース１２０の内部が、インレット１２９の内部から第１の流路１３１と第２の流路１３２とに区画されるため、エアクリーナ１１０の内部において２つのアウトレット１４７，１５７に向けて流れる空気同士が干渉することをより一層抑制できる。
【００５１】
＜第３実施形態＞
以下、図１２〜図１４を参照して、第３実施形態について説明する。
本実施形態では、ケース２２０の構成が第２実施形態と相違している。以下、第２実施形態との相違点を中心に説明する。
【００５２】
図１２に示すように、ケース２２０は、周壁２２１及び底壁２２２を有している。周壁２２１には、各アウトレット１４７，１５７とは反対方向に向けて突出する第１のインレット２２７及び第２のインレット２２８が設けられている。
【００５３】
図１３及び図１４に示すように、周壁２２１の内部には、第１のインレット２２７と第２のインレット２２８との間に位置するとともに、これらのインレット２２７，２２８の突出方向に沿って延在する区画壁２２３が設けられている。ケース２２０の内部は、区画壁２２３によって、第１の流路２３１と第２の流路２３２とに区画されている。
【００５４】
周壁２２１の上部には、第１の流路２３１及び第２の流路２３２にそれぞれ連なる第１開口２２４，２２５が形成されている。また、これらの開口２２４，２２５の周縁には、フランジ２２６が全周にわたって形成されている。
【００５５】
図１３に示すように、本実施形態では、ケース２２０の２つの開口２２４，２２５とキャップ１４０の２つの開口１４４，１５４との間に２つのフィルタエレメント１６０がそれぞれ設けられている。
【００５６】
このとき、ケース２２０のフランジ２２６とキャップ１４０のフランジ１４５，１５５とによって２つのフィルタエレメント１６０のシール部１６２が挟持されている。詳しくは、仕切壁１７０におけるフィルタエレメント１６０に対向する対向面１７１（フランジ１４５，１５５の共通部分の下面）が、２つのフィルタエレメント１６０のシール部１６２にそれぞれ接するシール面を形成している。また、区画壁２２３の上面（フランジ２２６の一部）が、２つのフィルタエレメント１６０のシール部１６２にそれぞれ接している。
【００５７】
以上説明した本実施形態に係るエアクリーナによれば、第１実施形態の効果（１）、（２）、及び第２実施形態の効果（５）、（６）に加えて、以下に示す作用効果が得られるようになる。
【００５８】
（８）ケース２２０には、キャップ１４０の第１の空間１４６及び第２の空間１５６にそれぞれ対応して第１のインレット２２７及び第２のインレット２２８が設けられている。
【００５９】
こうした構成によれば、第１のインレット２２７を通じてケース２２０の内部に流入した空気は、第１の空間１４６に向けて流れるとともに、第２のインレット２２８を通じてケース２２０の内部に流入した空気は、第２の空間１５６に向けて流れる。このため、エアクリーナ２１０の内部において２つのアウトレット１４７，１５７に向けて流れる空気同士が干渉することを一層抑制できる。
【００６０】
＜変形例＞
なお、上記実施形態は、例えば以下のように変更することもできる。
・第２実施形態において、インレット１２９の内部に設けられた区画部１３０を省略することもできる。
【００６１】
・上記各実施形態では、エアフローメータをエアクリーナの２つのアウトレットにそれぞれ取り付けるようにした。これに代えて、２つのアウトレットにそれぞれ接続される吸気管に、エアフローメータを取り付けるようにしてもよい。
【００６２】
・Ｖ型エンジンに代えて、水平対向エンジンに対して本発明に係るエアクリーナを適用することもできる。
【符号の説明】
【００６３】
１０，１１０，２１０…エアクリーナ、２０，１２０，２２０…ケース、２１…開口、２２…周壁、２３…底壁、２４…フランジ、２５…インレット、３０，１４０…キャップ、３１…開口、３２…周壁、３３…頂壁、３４…フランジ、３５ａ…第１のアウトレット、３５ｂ…第２のアウトレット、３６…仕切壁、３６ａ…対向面、３７ａ…第１の空間、３７ｂ…第２の空間、３８ａ…第１のエアフローメータ、３８ｂ…第２のエアフローメータ、３９ａ，３９ｂ…開口部、４０…フィルタエレメント、４１…濾過部、４２…シール部、８０…内燃機関、８１ａ，８１ｂ…吸気通路、８２ａ，８２ｂ…吸気管、８３ａ，８３ｂ…コンプレッサ、８４ａ，８４ｂ…スロットルバルブ、８５ａ，８５ｂ…インタークーラ、８６…サージタンク、８７ａ，８７ｂ…吸気マニホールド、９０ａ，９０ｂ…バンク、９１ａ，９１ｂ…排気通路、９２ａ，９２ｂ…排気マニホールド、９３ａ，９３ｂ…タービン、９４ａ，９４ｂ…排気管、１２１…第１分割体、１２２…周壁、１２３…底壁（区画壁）、１２４…連通孔、１２５…分割壁（区画壁）、１２６…第１開口、１２７…第２開口、１２８…フランジ、１２９…インレット、１３０…区画部、１３１…第１の流路、１３２…第２の流路、１３３…第２分割体、１３４…周壁、１３５…底壁、１３６…開口、１３７…接合部、１３８…切欠部、１４１，１５１…キャップ部、１４２，１５２…周壁、１４３，１５３…頂壁、１４４，１５４…開口、１４５，１５５…フランジ、１４６，１４７…空間、１４７，１５７…アウトレット、１４８，１５８…エアフローメータ、１４９，１５９…開口部、１６０…フィルタエレメント、１６１…濾過部、１６２…シール部、１７０…仕切壁、１７１…対向面、２２１…周壁、２２２…底壁、２２３…区画壁、２２４，２２５…開口、２２６…フランジ、２２７，２２８…インレット、２３１，２３２…流路、Ｓ…隙間。
【図１】
2018071397.tif 000003
【図２】
2018071397.tif 000004
【図３】
2018071397.tif 000005
【図４】
2018071397.tif 000006
【図５】
2018071397.tif 000007
【図６】
2018071397.tif 000008
【図７】
2018071397.tif 000009
【図８】
2018071397.tif 000010
【図９】
2018071397.tif 000011
【図１０】
2018071397.tif 000012
【図１１】
2018071397.tif 000013
【図１２】
2018071397.tif 000014
【図１３】
2018071397.tif 000015
【図１４】
2018071397.tif 000016